(57)【要約】【課題】中腰使用を楽に行うことが可能な洋式トイレ設備を提供することを目的とする。【解決手段】洋風便器１の左右両サイドから所定距離上方において、壁面１に腰当て部材２０及び肘掛け３０を取り付けるために１対の取付ブラケット１０，１０が設置されている。このブラケット１０に支軸１３を介して起倒方向回動可能に取り付けられたフレーム１４及び肘掛け３０と、該フレーム１４に支持された腰当て部材２０等とを備えている。使用者は腰を便座３から浮かせているが、腰部を腰当て部材２０に当て、肘を肘掛け３０に掛けているので、楽に中腰姿勢を保つことができる。【選択図】図２
2006020681.tif 000002
【特許請求の範囲】
【請求項１】
便座を有する洋風便器を備えた洋式トイレ設備において、該便座から腰を浮かせた中腰姿勢にて洋風便器を使用する中腰使用者の腰部高さに、該腰部を押し付けるための腰当て部材を設置したことを特徴とする洋式トイレ設備。
【請求項２】
請求項１において、該腰当て部材は、中腰使用者の腰部を支える支承位置と、該支承位置から退避した退避位置とをとりうるように移動可能に設置されていることを特徴とする洋式トイレ設備。
【請求項３】
請求項２において、該退避位置は該支承位置よりも後方であり、該腰当て部材は、略板状であり、支承位置及び退避位置のいずれの位置にあっても前面が略鉛直となるように設けられていることを特徴とする洋式トイレ設備。
【請求項４】
請求項３において、該腰当て部材は、軸心を水平方向とした軸部材によって回動自在に支持されると共に、その重心が該軸部材よりも下位とされることにより、支承位置及び退避位置のいずれの位置にあっても前面が略鉛直となるように構成されていることを特徴とする洋式トイレ設備。
【請求項５】
請求項３又は４において、該腰当て部材が支承位置に位置したときに該腰当て部材を背後側から受け止める受け部材が設けられていることを特徴とする洋式トイレ設備。
【請求項６】
請求項１ないし５のいずれか１項において、該中腰使用者が肘をかける肘掛けを備えたことを特徴とする洋式トイレ設備。
【請求項７】
請求項６において、該肘掛けは、中腰使用者の肘を支える支承位置と、該支承位置から退避した退避位置とをとりうるように移動可能に設置されていることを特徴とする洋式トイレ設備。
【請求項８】
請求項７において、前記肘掛けの退避位置への移動と前記腰当て部材の退避位置への移動とが連動されていることを特徴とする洋式トイレ設備。
【発明の詳細な説明】
【技術分野】
【０００１】
本発明は洋風便器を備えた洋式トイレ設備に係り、特に便座から腰を浮かせた中腰使用を楽に行うことができるよう改良された洋式トイレ設備に関する。
【背景技術】
【０００２】
洋風便器は、便座を倒伏させて該便座上に座って用を足すようにして男子大便使用、女性使用に供されるのが通常である。しかしながら、本発明者らの調査の結果、公共的なトイレにあっては、不特定多数の人の臀部に接すると共に、時として汚れていたりする便座に直に座ることに躊躇する人が多数居ること、そして、少なからぬ人が、便座から腰を浮かせた中腰姿勢にて用便をすることが認められた。しかしながら、このように腰を浮かせた中腰姿勢は極めて無理な姿勢であり、楽に中腰姿勢をとることが可能となるように洋式トイレ設備が改良される希望が多いことが分った。
【０００３】
なお、デパート等の公共的なトイレにはシートペーパーを備えつけたものもあるが、シートペーパーがズリ落ちたりして使いにくい。
【０００４】
また、特開２００１−１６９９６８号公報、特開２００２−２９１６５８号公報には、手摺りの他に、便座着座者の背中を支えるための背もたれを設けたトイレが記載されている。しかしながら、これらの公報に記載の背もたれは、便座着座者の背中が当るように相当に後方に設けられているため、中腰使用者がこの背もたれに腰を当てたのでは、臀部位置が便鉢から後方に外れることになり、中腰使用者の腰当てには利用することができない。
【特許文献１】特開２００１−１６９９６８号公報
【特許文献２】特開２００２−２９１６５８号公報
【発明の開示】
【発明が解決しようとする課題】
【０００５】
本発明は、上記従来の問題点を解決し、中腰使用を楽に行うことが可能な洋式トイレ設備を提供することを目的とする。
【課題を解決するための手段】
【０００６】
本発明（請求項１）の洋式トイレ設備は、便座を有する洋風便器を備えた洋式トイレ設備において、該便座から腰を浮かせた中腰姿勢にて洋風便器を使用する中腰使用者の腰部高さに、該腰部を押し付けるための腰当て部材を設置したことを特徴とするものである。
【０００７】
請求項２の洋式トイレ設備は、請求項１において、該腰当て部材は、中腰使用者の腰部を支える支承位置と、該支承位置から退避した退避位置とをとりうるように移動可能に設置されていることを特徴とするものである。
【０００８】
請求項３の洋式トイレ設備は、請求項２において、該退避位置は該支承位置よりも後方であり、該腰当て部材は、略板状であり、支承位置及び退避位置のいずれの位置にあっても前面が略鉛直となるように設けられていることを特徴とするものである。
【０００９】
請求項４の洋式トイレ設備は、請求項３において、該腰当て部材は、軸心を水平方向とした軸部材によって回動自在に支持されると共に、その重心が該軸部材よりも下位とされることにより、支承位置及び退避位置のいずれの位置にあっても前面が略鉛直となるように構成されていることを特徴とするものである。
【００１０】
請求項５の洋式トイレ設備は、請求項３又は４において、該腰当て部材が支承位置に位置したときに該腰当て部材を背後側から受け止める受け部材が設けられていることを特徴とするものである。
【００１１】
請求項６の洋式トイレ設備は、請求項１ないし５のいずれか１項において、該中腰使用者が肘をかける肘掛けを備えたことを特徴とするものである。
【００１２】
請求項７の洋式トイレ設備は、請求項６において、該肘掛けは、中腰使用者の肘を支える支承位置と、該支承位置から退避した退避位置とをとりうるように移動可能に設置されていることを特徴とするものである。
【００１３】
請求項８の洋式トイレ設備は、請求項７において、前記肘掛けの退避位置への移動と前記腰当て部材の退避位置への移動とが連動されていることを特徴とするものである。
【発明の効果】
【００１４】
本発明の洋式トイレ設備にあっては、中腰使用者がその腰部を腰当て部材に押し付けることにより中腰姿勢を楽に保つことができる。
【００１５】
中腰姿勢にある使用者が肘を掛ける肘掛けを設けることにより、中腰姿勢を一層楽に保つことが可能となる。
【００１６】
本発明では、腰当て部材あるいは肘掛けを、この中腰使用者の腰部又は肘を支承する支承位置と、そこから退避して便座に着座した着座使用の妨げとならないように位置した退避位置とをとりうるように移動可能とすることが好ましい。これにより、通常通り着座使用（便座に座って便器使用）する際に腰当て部材や肘掛けが邪魔にならず、快適に洋風便器を使用することが可能となる。
【００１７】
本発明では、腰当て部材は、略板状であり、支承位置及び退避位置のいずれの位置にあっても前面が略鉛直となるように設けられていることが望ましい。これにより、退避した腰当て部材が着座使用時の邪魔になることが一層確実に防止される。
【００１８】
本発明では、軸心を水平方向とした支軸によって該腰当て部材を回動自在に支持すると共に、その重心を該支軸よりも下位とすることにより、該腰当て部材の前面を略鉛直に保つようにすることが望ましい。この構成は簡易であり、低コストである。ただし、腰当て部材の退動と、その前面を鉛直に保つための動きとを連動させる機構を設けてもよい。
【００１９】
また、本発明では、腰当て部材が支承位置に位置するときに、該腰当て部材を背後側から受け止める受け部材を設けてもよい。このようにすれば、中腰使用者が腰当て部材に腰部を押し付けたときに腰当て部材によって該腰部をしっかりと受け止めることができる。
【００２０】
本発明では、肘掛けが退避位置へ移動すると、腰当て部材も退避位置へ移動するように連動されていることが好ましい。これにより、肘掛け及び腰当て部材の移動操作が簡単となる。
【００２１】
なお、本発明において、「前後」方向は洋風便器の前後方向に合致する。
【発明を実施するための最良の形態】
【００２２】
以下、図面を参照して本発明についてさらに詳細に説明する。第１図は本発明の実施の形態に係る洋式トイレ設備を示す斜視図、第２図はその中腰使用時の側面図、第３図は腰当て部材及び肘掛けの退避状態の側面図、第４図（ａ）は第１図のIV−IV線断面図、第４図（ｂ）は腰当て部材及び肘掛けの退避状態における（ａ）図と同一部分の断面図、第５図は第１図のＶ−Ｖ線断面図、第６図は第５図のVI−VI線断面図、第７図は腰当て部材及び肘掛けの退避状態の第６図と同一部分の断面図である。
【００２３】
トイレルームの壁面１に洋風便器２が取り付けられ、この洋風便器２の上面に便座３がヒンジ部材３ａを介して起倒回動可能に取り付けられている。この実施の形態では、洋風便器２は壁付け型であるが、床４に据え付ける床置き型でもよく、床４と壁１との交叉隅部に設置される床壁型等であってもよい。
【００２４】
洋風便器１の左右両サイドから所定距離上方において、壁面１に腰当て部材２０及び肘掛け３０を取り付けるために１対の取付ブラケット１０，１０が設置されている。第１図及び第４図等に明示の通り、この取付ブラケット１０は、壁面１から前方へ突出するようにそれぞれ壁面１に固設された支持シャフト１１及びカバー１２とを備えている。該カバー１２に支軸１３を介してフレーム１４及び肘掛け３０が起倒方向回動可能に取り付けられている。該フレーム１４に腰当て部材２０が取り付けられている。
【００２５】
カバー１２は支持シャフト１１に対し溶接等により強固に一体化されている。このカバー１２に前記支軸１３が壁面１と平行且つ水平方向に取り付けられている。この支軸１３は、その軸心回りに回転自在となっている。この支軸１３は支持シャフト１１の上側に配置されている。このカバー１２の上面には、次に説明するフレーム１４の前方延出部１４ａが入り込む切欠状の溝部１２ａが設けられている。
【００２６】
この支軸１３に対し前記フレーム１４が連結固定されている。このフレーム１４は、ブラケット１０，１０の各支軸１３，１３から前方へ延出した前方延出部１４ａ，１４ａと、該前方延出部１４ａ，１４ａの先端同士を橋絡する橋絡部１４ｂとを有した略コ字形のものであり、該橋絡部１４ｂは壁面１４ａと平行方向に延在している。この前方延出部１４ａには腰当て部材２０の受け部材１４ｃ（第４図）が設けられている。この前方延出部１４ａは、第４図（ａ）のように支持シャフト１１に重なった水平姿勢と、第４図（ｂ）の通り上方向に起立した起立姿勢とをとりうるようになっている。なお、以下、前方延出部１４ａが水平となった状態をフレーム１４が水平状態にあるという。
【００２７】
フレーム１４が水平状態にあるときに橋絡部１４ｂの鉛直下側に位置するようにサブフレーム１５が該フレーム１４に一体に設けられている。このサブフレーム１５は、水平状態にあるフレーム１４の橋絡部１４ｂから鉛直下方に垂設された左右１対の縦棒部１５ａ，１５ａと、これら縦棒部１５ａ，１５ａの下端同士の間を橋絡するように延在する横棒部１５ｂとを有したコ字形の部材である。この横棒部１５ｂは、壁面１と平行方向且つ水平方向に延在しており、円形の鉛直断面形状を有している。
【００２８】
フレーム１４及びサブフレーム１５はパイプ状であってもよい。
【００２９】
この横棒部１５ｂに対し円環形の取付環２２が摺動自在に外嵌しており、この取付環２２から突設された取付座２１に対し前記腰当て部材２０が取り付けられている。
【００３０】
なお、この横棒部１５ｂと取付環２２とによって、腰当て部材２０を回動自在に支持するための軸部材が構成されている。
【００３１】
腰当て部材２０は、略方形板状のものであり、前面側には軟質なパッドと、該パッドを覆うビニル等からなる表皮とが設けられている。
【００３２】
この腰当て部材２０の下部の背面には後方延出部材２３を介して錘体２４が取り付けられている。この錘体２４は取付環２２の鉛直下方よりも後方にまで延在しており、この錘体２４の重量とのバランスにより、腰当て部材２０の前面が常に略鉛直となるよう構成されている。
【００３３】
フレーム１４を水平状態とした状態において、腰当て部材２０はフレーム１４の橋絡部１４ｂよりも上方にまで立ち上がり、且つその背面が受け部材１４ｃに当接している。このため、この状態で腰当て部材２０の前面に第２図の如く中腰使用者の腰部が押し当てられても、腰当て部材２０は回動せずに腰部を受け止める。このとき、腰当て部材２０の前面は、便座３の内周縁の後部の上方付近に位置している。
【００３４】
前記肘掛け３０は、第１図に明瞭に示される通り、前記支軸１３に対し固着されたハブ部３１と、該ハブ部３１から前方へ延出したアーム３２と、該アーム３２の先端側の上面に設けられた肘当てパッド３３とを有している。この肘掛け３０は、支軸１３を介して前記フレーム１４に固定連結されているため、該肘掛け３０はフレーム１４と一体に上下方向に回動可能である。
【００３５】
第１，２図及び第４図（ａ）等の通り、フレーム１４が支持シャフト１１に重なった水平状態となると、肘掛け３０も前方へ延出し、第３図及び第４図（ｂ）等の通り、フレーム１４が起立すると肘掛け３０も起立する。
【００３６】
このように構成された洋式トイレ設備にあっては、第１，２図の通りフレーム１４を水平にすると、該フレーム１４が支持シャフト１１によって強固に支承され、肘掛け３０も水平状態にしっかりと保持される。このフレーム１４に設けられた腰当て部材２０に対し第２図の如く腰部（好ましくは骨盤又は骨盤と背骨との中間付近）を押し当てると共に、肘掛け３０に肘を掛けて中腰姿勢にて便器使用する。この場合、使用者は腰を便座３から浮かせているが、腰部を腰当て部材２０に当て、肘を肘掛け３０に掛けているので、楽に中腰姿勢を保つことができる。
【００３７】
この洋式トイレ設備を通常通りに着座使用する場合には、第３図の如くフレーム１４及び肘掛け３０を起立回動させる。これにより、腰当て部材２０が後方へ退避するので、便座３に座った人の背中や後頭部に腰当て部材２０が干渉せず、快適に便器を使用することができる。なお、第３図の通り、錘体２４の作用により、フレーム１４及び肘掛け３０を起立させた状態でも腰当て部材２０は略鉛直となっているので、腰当て部材２０の全体が十分に後方へ退避する。なお、この状態では、腰当て部材２０の前面が便器２の便鉢内周面の後縁よりも後方に位置するのが好ましい。
【００３８】
上記実施の形態ではフレーム１４を肘掛け３０とは別個に設けているが、フレーム１４の前方延出部１４ａを省略し、肘掛け３０のアーム３１間に橋絡部１４ｂを架け渡してもよい。
【００３９】
また、上記実施の形態では錘体２４とのバランスにより腰当て部材２０が鉛直姿勢を保つようにしているが、連動機構によって腰当て部材２０に強制的に鉛直姿勢をとらせるようにしてもよい。この連動機構の構成例を第８〜１０図及び第１１図を参照して説明する。
【００４０】
第８図は腰当て部材回動用連動機構を備えた洋式トイレ設備の斜視図、第９図（ａ）は第８図のIX−IX線断面図、第９図（ｂ），（ｃ）はアームの回動途中における第９図（ａ）と同一部分の断面図、第１０図は第９図（ａ）のＸ−Ｘ線断面図である。
【００４１】
第８〜１０図では、カバー１２に肘掛け３０Ａのみが起倒回動可能に取り付けられており、フレーム１４は設けられていない。左右の肘掛け３０Ａ，３０Ａのアーム３２，３２間にパイプ４０が架け渡されており、このパイプ４０の取付座４５に腰当て部材２０が固定されている。パイプ４０はアーム３２，３２に対しその軸心回りに回動可能に取り付けられている。
【００４２】
第８〜１０図では、カバー１２内の１対の側面に環座３９を対面するように突設し、アーム３２の基端に設けた環状部３８を該環座３９に摺動可能に内嵌させ、これによりアーム３２を起倒方向回動自在としている。
【００４３】
第１０図の通り、この環座３９の中心から軸体４６が水平方向且つ壁面１と平行方向に突設されており、この軸体４６にプーリ４１が回転不能に固着されている。
【００４４】
パイプ４０内には支軸４２が固定設置されている。この支軸４２の先端はアーム３２内に差し込まれ、該先端にプーリ４３が固着されている。
【００４５】
これらのプーリ４１，４３間にベルト４４が架け渡されている。なお、ベルト４４がプーリ４１，４３に対し滑らないようにするために、プーリ４１，４３を歯付きプーリとし、ベルト４４を歯付きベルトとするのが好ましい。なお、プーリ４１，４３は等径である。
【００４６】
第８，９図及び第１０図（ａ）では、アーム３２を水平として支持シャフト１１に重ねた状態では、腰当て部材２０の前面が鉛直となっている。この状態から第９図（ｂ），（ｃ）の通りアーム３２を起立回動させると、プーリ４１，４３及びベルト４４を介してパイプ４０も回動する。プーリ４１，４３が等径となっているため、アーム３２の起立回動位相とパイプ４０の回動位相とは同一であり、腰当て部材２０は常に鉛直状態となる。
【００４７】
なお、第９図（ａ）の状態において腰当て部材２０のパイプ４０よりも上位の背面に当接するストッパをアーム３２，３２間に架設するのが好ましい。
【００４８】
第９，１０図ではプーリ４１，４３及びベルトによってアーム３２の回動とパイプ４０の回動とを連動させているが、第１１図のように支軸４６にギヤ５１を固着し、支軸４２にギヤ５２を固着し、両ギヤ５１，５２間に奇数個のギヤ５０を介在させてアーム３２とパイプ４０とを連動させてもよい。各ギヤ５０はアーム３２に対し回動可能に軸支されている。ギヤ５１，５２の歯数は同一である。この実施の形態においても、第１１図（ａ），（ｂ），（ｃ）のようにパイプ４０とアーム３２とが連動し、腰当て部材２０の前面は常に鉛直状態となる。
【００４９】
上記各実施の形態では肘掛け３０，３０Ａを設けているが、本発明では肘掛けを省略し、腰当て部材２０のみを設けてもよい。
【図面の簡単な説明】
【００５０】
【図１】本発明の実施の形態に係る洋式トイレ設備を示す斜視図である。
【図２】その使用時の側面図である。
【図３】腰当て部材及び肘掛けの退避状態の側面図である。
【図４】第４図（ａ）は第１図のIV−IV線断面図、第４図（ｂ）は腰当て部材及び肘掛けの退避状態における（ａ）図と同一部分の断面図である。
【図５】第１図のＶ−Ｖ線断面図である。
【図６】第５図のVI−VI線断面図である。
【図７】腰当て部材及び肘掛けの退避状態の第６図と同一部分の断面図である。
【図８】腰当て部材回動用連動機構を備えた洋式トイレ設備の斜視図である。
【図９】第９図（ａ）は第８図のIX−IX線断面図、第９図（ｂ），（ｃ）はアームの回動途中の断面図である。
【図１０】第９図のＸ−Ｘ線断面図である。
【図１１】さらに別の実施の形態におけるアームと腰当て部材との連動機構を示す断面図である。
【符号の説明】
【００５１】
１  壁面
２  洋風便器
３  便座
１０  ブラケット
１１  シャフト
１２  カバー
１３  支軸
１４  フレーム
１４ｃ  受け部材
１５  サブフレーム
２０  腰当て部材
３０，３０Ａ  肘掛け
３１  ハブ部
３２  アーム
３３  肘当てパッド
４１，４３  プーリ
４４  ベルト
５０，５１，５２  ギヤ
【図１】
2006020681.tif 000003
【図２】
2006020681.tif 000004
【図３】
2006020681.tif 000005
【図４】
2006020681.tif 000006
【図５】
2006020681.tif 000007
【図６】
2006020681.tif 000008
【図７】
2006020681.tif 000009
【図８】
2006020681.tif 000010
【図９】
2006020681.tif 000011
【図１０】
2006020681.tif 000012
【図１１】
2006020681.tif 000013